【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
ワイヤレス通信媒体においてハイブリッド自動再送要求（ＨＡＲＱ）確認応答を送信するための方法であって、
アクセス端末において、アクセスポイントから、前記ワイヤレス通信媒体のダウンリンクチャネル上で複数のダウンリンクサブフレームを受信することと、前記複数のダウンリンクサブフレームは、複数のＨＡＲＱプロセスに関わるデータを搬送する、
前記アクセス端末によって、前記アクセスポイントに、１つまたは複数の機会に前記ワイヤレス通信媒体の標準的な物理アップリンク制御チャネル（ＰＵＣＣＨ）よりも短い期間のショートＰＵＣＣＨのアップリンクサブフレーム上で、前記複数のダウンリンクサブフレームについての確認応答を送信することと、前記アップリンクサブフレームは、複数のビットを含み、前記複数のビットは、前記複数のダウンリンクサブフレームに対応する、
を備え、
前記複数のダウンリンクサブフレームのｉ番目のサブフレームについての確認応答が、前記複数のビットのｉ番目のビットにおいて搬送される点を特徴とする、
方法。
【請求項２】
前記アクセス端末において、前記アクセスポイントから、前記ワイヤレス通信媒体の前記ダウンリンクチャネル上で、後続の複数のダウンリンクサブフレームを受信することと、前記後続の複数のダウンリンクサブフレームは、前記複数のＨＡＲＱプロセスに関わるデータを搬送する、
前記アクセス端末によって、前記アクセスポイントに、前記ワイヤレス通信媒体の前記ショートＰＵＣＣＨの前記アップリンクサブフレーム上で、前記後続の複数のダウンリンクサブフレームについての確認応答の後続のセットを送信することと、
をさらに備える、請求項１に記載の方法。
【請求項３】
前記複数のダウンリンクサブフレームのうちの、前記アップリンクサブフレームの前記複数のビットにおける対応する確認応答の送信の前に復号されなかったダウンリンクサブフレームについて、前記アクセス端末が、前記ダウンリンクサブフレームが確認応答されなかったことを示すように前記複数のビットのうちの対応するビットを設定する、請求項２に記載の方法。
【請求項４】
前記後続の複数のダウンリンクサブフレームが、前記複数のダウンリンクサブフレームのうちの、前記アップリンクサブフレームの前記複数のビットにおける前記対応する確認応答の送信の前に復号されなかった前記ダウンリンクサブフレームの再送信を含む、請求項３に記載の方法。
【請求項５】
前記複数のＨＡＲＱプロセスは、複数のコードブロックを備える、請求項１に記載の方法。
【請求項６】
前記複数のダウンリンクサブフレームに対応する前記複数のビットの数は、前記複数のコードブロックおよび前記複数のＨＡＲＱプロセスの数、および前記複数のダウンリンクサブフレームの数の関数である、請求項５に記載の方法。
【請求項７】
前記複数のダウンリンクサブフレームに対応する前記複数のビットは、前記複数のダウンリンクサブフレームのサブフレームインデックスに直接にマッピングする、請求項６に記載の方法。
【請求項８】
確認応答は、肯定確認応答（ＡＣＫ）または否定確認応答（ＮＡＣＫ）を備える、請求項１に記載の方法。
【請求項９】
ワイヤレス通信媒体においてハイブリッド自動再送要求（ＨＡＲＱ）確認応答を送信するための装置であって、
アクセスポイントから、前記ワイヤレス通信媒体のダウンリンクチャネル上で複数のダウンリンクサブフレームを受信するように構成されたアクセス端末の受信機と、前記複数のダウンリンクサブフレームは、複数のＨＡＲＱプロセスに関わるデータを搬送する、
前記アクセスポイントに、１つまたは複数の機会に前記ワイヤレス通信媒体の標準的な物理アップリンク制御チャネル（ＰＵＣＣＨ）よりも短い期間のショートＰＵＣＣＨのアップリンクサブフレーム上で、前記複数のダウンリンクサブフレームについての確認応答を送信するように構成された、前記アクセス端末の送信機と、前記アップリンクサブフレームは、複数のビットを含み、前記複数のビットは、前記複数のダウンリンクサブフレームまたは前記複数のＨＡＲＱプロセスに対応する、
を備え、
前記複数のダウンリンクサブフレームのｉ番目のサブフレームについての確認応答が、前記複数のビットのｉ番目のビットにおいて搬送される点を特徴とする、
装置。
【請求項１０】
前記受信機は、アクセスポイントから、前記ワイヤレス通信媒体の前記ダウンリンクチャネル上で、後続の複数のダウンリンクサブフレームを受信するようにさらに構成され、前記後続の複数のダウンリンクサブフレームは、前記複数のＨＡＲＱプロセスに関わるデータを搬送し、
前記送信機は、アクセスポイントに、前記ワイヤレス通信媒体の前記ショートＰＵＣＣＨの前記アップリンクサブフレーム上で、前記後続の複数のダウンリンクサブフレームについての確認応答の後続のセットを送信するようにさらに構成される、
請求項９に記載の装置。
【請求項１１】
前記複数のダウンリンクサブフレームのうちの、前記アップリンクサブフレームの前記複数のビットにおける対応する確認応答の送信の前に復号されなかったダウンリンクサブフレームについて、前記ダウンリンクサブフレームが確認応答されなかったことを示すように前記複数のビットのうちの対応するビットを設定するように、前記アクセス端末が構成される、請求項１０に記載の装置。
【請求項１２】
前記後続の複数のダウンリンクサブフレームが、前記複数のダウンリンクサブフレームのうちの、前記アップリンクサブフレームの前記複数のビットにおける前記対応する確認応答の送信の前に復号されなかった前記ダウンリンクサブフレームの再送信を含む、請求項１１に記載の装置。
【請求項１３】
実行されたとき、請求項１〜請求項８のうちのいずれか一項の方法をアクセス端末に実行させるコンピュータ実行可能コードを記憶する、コンピュータ可読媒体。
【手続補正２】
【補正対象書類名】明細書
【補正対象項目名】００９２
【補正方法】変更
【補正の内容】
【００９２】
[00102]  前述の開示は、さまざまな例示的な態様を示すが、さまざまな変化および変更が、添付の請求項によって定義される範囲から逸脱することなく、示された例に為され得ることが、留意されるべきである。本開示は、具体的に示されている例にのみ限定されることを意図していない。例えば、他に記述されない限り、本書に説明された本開示の態様にしたがった方法請求項の機能、ステップ、および／またはアクションは、任意の特定の順序で実施される必要はない。さらに、特定の態様は、単数形で説明または請求され得るが、単数形に限定することが明記されていない限り、複数形が考慮される。
以下に本願の出願当初の特許請求の範囲に記載された発明を付記する。
[Ｃ１]  ワイヤレス通信媒体において確認応答を送信するための方法であって、
前記ワイヤレス通信媒体のダウンリンクチャネルにおける複数のダウンリンクサブフレームを、アクセスポイントからアクセス端末において、受信することと、前記複数のダウンリンクサブフレームは、複数のプロセスに関わるデータを搬送する、
１つまたは複数の場合において前記ワイヤレス通信媒体のアップリンクチャネルのアップリンクサブフレームにおいて前記複数のダウンリンクサブフレームに関わる確認応答を、前記アクセス端末によって前記アクセスポイントに、送信することと、前記アップリンクサブフレームは、複数のビットを含み、前記複数のビットは、前記複数のダウンリンクサブフレームまたは前記複数のプロセスに対応する、
を備える、方法。
[Ｃ２]  前記アップリンクチャネルは、ショート物理アップリンク制御チャネル（ＰＵＣＣＨ）を備える、Ｃ１に記載の方法。
[Ｃ３]  前記複数のプロセスは、複数のハイブリッド自動再送要求（ＨＡＲＱ）プロセスを備える、Ｃ１に記載の方法。
[Ｃ４]  前記複数のＨＡＲＱプロセスは、複数のコードブロックを備える、Ｃ３に記載の方法。
[Ｃ５]  前記複数のダウンリンクサブフレームに対応する前記複数のビットの数は、前記複数のコードブロックおよび前記複数のＨＡＲＱプロセスの数、および前記複数のダウンリンクサブフレームの数の関数である、Ｃ４に記載の方法。
[Ｃ６]  前記複数のダウンリンクサブフレームのｉ番目のサブフレームに関わる確認応答は、前記複数のビットのｉ番目のビットにおいて搬送される、Ｃ５に記載の方法。
[Ｃ７]  前記複数のダウンリンクサブフレームに対応する前記複数のビットは、前記複数のダウンリンクサブフレームのサブフレームインデックスに直接にマッピングする、Ｃ５に記載の方法。
[Ｃ８]  前記複数のプロセスに対応する前記複数のビットの数は、前記複数のプロセスの数の関数である、Ｃ１に記載の方法。
[Ｃ９]  前記複数のプロセスのｉ番目のプロセスに関わる確認応答は、前記複数のビットのｉ番目のビットにおいて搬送される、Ｃ１に記載の方法。
[Ｃ１０]  前記複数のプロセスに対応する前記複数のビットは、前記複数のプロセスのプロセス識別子に直接にマッピングする、Ｃ１に記載の方法。
[Ｃ１１]  前記複数のプロセスの各々内の前記複数のビットは、前記複数のプロセスの各々内のコードブロック識別子にマッピングする、Ｃ１に記載の方法。
[Ｃ１２]  前記複数のダウンリンクサブフレームの数は、前記複数のプロセスの数より小さく、前記複数のビットの数は、前記複数のプロセスの前記数と同等である、Ｃ１に記載の方法。
[Ｃ１３]  前記アクセス端末は、前記複数のダウンリンクサブフレームの間の前記複数のプロセスのうちのいくつかのプロセスが確認応答されなかったことを示すために、前記複数のダウンリンクサブフレームの間に受信されない前記複数のプロセスのうちの前記いくつかのプロセスに対応する、前記複数のビットのうちのビットを設定する、Ｃ１２に記載の方法。
[Ｃ１４]  前記ワイヤレス通信媒体の前記ダウンリンクチャネルにおける次の複数のダウンリンクサブフレームを、前記アクセスポイントから前記アクセス端末において、受信することと、前記次の複数のダウンリンクサブフレームは、前記複数のプロセスに関わるデータを搬送する、
前記ワイヤレス通信媒体の前記アップリンクチャネルの前記アップリンクサブフレームにおける前記次の複数のダウンリンクサブフレームに関わる確認応答の次のセットを、前記アクセス端末によって前記アクセスポイントに、送信することと、
をさらに備える、Ｃ１に記載の方法。
[Ｃ１５]  前記複数のダウンリンクサブフレームのうちの、前記アップリンクサブフレームの前記複数のビットにおける対応する確認応答の送信の前に復号されなかったダウンリンクサブフレームに関して、前記アクセス端末は、前記ダウンリンクサブフレームが確認応答されなかったことを示すために前記複数のビットのうちの対応するビットを設定する、Ｃ１４に記載の方法。
[Ｃ１６]  前記次の複数のダウンリンクサブフレームは、前記複数のダウンリンクサブフレームのうちの、前記アップリンクサブフレームの前記複数のビットにおける前記対応する確認応答の送信の前に復号されなかった前記ダウンリンクサブフレームを含む、Ｃ１５に記載の方法。
[Ｃ１７]  前記アクセスポイントは、グラントベースのＰＵＣＣＨにおける前記ダウンリンクサブフレームの確認応答のために前記アクセス端末を非同期的にポーリングする、Ｃ１５に記載の方法。
[Ｃ１８]  前記受信および送信は、前記アクセス端末に割り当てられる送信機会（ＴｘＯＰ）の間に行われる、Ｃ１に記載の方法。
[Ｃ１９]  確認応答は、肯定確認応答（ＡＣＫ）または否定確認応答（ＮＡＣＫ）を備える、Ｃ１に記載の方法。
[Ｃ２０]  ワイヤレス通信媒体において確認応答を送信するための装置であって、
前記ワイヤレス通信媒体のダウンリンクチャネルにおける複数のダウンリンクサブフレームを、アクセスポイントから、受信するように構成されたアクセス端末の受信機と、前記複数のダウンリンクサブフレームは、複数のプロセスに関わるデータを搬送する、
１つまたは複数の場合において前記ワイヤレス通信媒体のアップリンクチャネルのアップリンクサブフレームにおいて前記複数のダウンリンクサブフレームに関わる確認応答を、前記アクセスポイントに、送信するように構成された、前記アクセス端末の送信機と、前記アップリンクサブフレームは、複数のビットを含み、前記複数のビットは、前記複数のダウンリンクサブフレームまたは前記複数のプロセスに対応する、
を備える、装置。
[Ｃ２１]  前記アップリンクチャネルは、ショート物理アップリンク制御チャネル（ＰＵＣＣＨ）を備える、Ｃ２０に記載の装置。
[Ｃ２２]  前記複数のプロセスは、複数のハイブリッド自動再送要求（ＨＡＲＱ）プロセスを備える、Ｃ２０に記載の装置。
[Ｃ２３]  前記複数のＨＡＲＱプロセスは、複数のコードブロックを備える、Ｃ２２に記載の装置。
[Ｃ２４]  前記複数のダウンリンクサブフレームに対応する前記複数のビットの数は、前記複数のコードブロックおよび前記複数のＨＡＲＱプロセスの数、および前記複数のダウンリンクサブフレームの数の関数である、Ｃ２３に記載の装置。
[Ｃ２５]  前記複数のダウンリンクサブフレームのｉ番目のサブフレームに関わる確認応答は、前記複数のビットのｉ番目のビットにおいて搬送される、Ｃ２４に記載の装置。
[Ｃ２６]  前記複数のダウンリンクサブフレームに対応する前記複数のビットは、前記複数のダウンリンクサブフレームのサブフレームインデックスに直接にマッピングする、Ｃ２４に記載の装置。
[Ｃ２７]  前記複数のプロセスに対応する前記複数のビットの数は、前記複数のプロセスの数の関数である、Ｃ２０に記載の装置。
[Ｃ２８]  前記複数のプロセスのｉ番目のプロセスに関わる確認応答は、前記複数のビットのｉ番目のビットにおいて搬送される、Ｃ２０に記載の装置。
[Ｃ２９]  前記複数のプロセスに対応する前記複数のビットは、前記複数のプロセスのプロセス識別子に直接にマッピングする、Ｃ２０に記載の装置。
[Ｃ３０]  前記複数のプロセスの各々内の前記複数のビットは、前記複数のプロセスの各々内のコードブロック識別子にマッピングする、Ｃ２０に記載の装置。
[Ｃ３１]  前記複数のダウンリンクサブフレームの数は、前記複数のプロセスの数より小さく、前記複数のビットの数は、前記複数のプロセスの前記数と同等である、Ｃ２０に記載の装置。
[Ｃ３２]  前記アクセス端末は、前記複数のダウンリンクサブフレームの間の前記複数のプロセスのうちのいくつかのプロセスが確認応答されなかったことを示すために、前記複数のダウンリンクサブフレームの間に受信されない前記複数のプロセスのうちの前記いくつかのプロセスに対応する、前記複数のビットのうちのビットを設定する、Ｃ３１に記載の装置。
[Ｃ３３]  前記受信機は、前記ワイヤレス通信媒体の前記ダウンリンクチャネルにおける次の複数のダウンリンクサブフレームを、前記アクセスポイントから、受信するようにさらに構成され、前記次の複数のダウンリンクサブフレームは、前記複数のプロセスに関わるデータを搬送する、
前記送信機は、前記ワイヤレス通信媒体の前記アップリンクチャネルの前記アップリンクサブフレームにおいて前記次の複数のダウンリンクサブフレームに関わる確認応答の次のセットを、前記アクセスポイントに、送信するようにさらに構成される、
Ｃ２０に記載の装置。
[Ｃ３４]  前記複数のダウンリンクサブフレームのうちの、前記アップリンクサブフレームの前記複数のビットにおける対応する確認応答の送信の前に復号されなかったダウンリンクサブフレームに関して、前記アクセス端末は、前記ダウンリンクサブフレームが確認応答されなかったことを示すために前記複数のビットのうちの、対応するビットを設定する、Ｃ３３に記載の装置。
[Ｃ３５]  前記次の複数のダウンリンクサブフレームは、前記複数のダウンリンクサブフレームのうちの、前記アップリンクサブフレームの前記複数のビットにおける前記対応する確認応答の送信の前に復号されなかった前記ダウンリンクサブフレームを含む、Ｃ３４に記載の装置。
[Ｃ３６]  前記アクセスポイントは、グラントベースのＰＵＣＣＨにおける前記ダウンリンクサブフレームの確認応答のために前記アクセス端末を非同期的にポーリングする、Ｃ３４に記載の装置。
[Ｃ３７]  前記受信および送信は、前記アクセス端末に割り当てられる送信機会（ＴｘＯＰ）の間に行われる、Ｃ２０に記載の装置。
[Ｃ３８]  確認応答は、肯定確認応答（ＡＣＫ）または否定確認応答（ＮＡＣＫ）を備える、Ｃ２０に記載の装置。
[Ｃ３９]  ワイヤレス通信媒体において確認応答を送信するように構成されたアクセス端末であって、
前記ワイヤレス通信媒体のダウンリンクチャネルにおける複数のダウンリンクサブフレームを、アクセスポイントから、受信するように構成された、受信するための手段と、前記複数のダウンリンクサブフレームは、複数のプロセスに関わるデータを搬送する、
１つまたは複数の場合において前記ワイヤレス通信媒体のアップリンクチャネルのアップリンクサブフレームにおいて前記複数のダウンリンクサブフレームに関わる確認応答を、前記アクセスポイントに、送信するように構成された、送信するための手段と、前記アップリンクサブフレームは、複数のビットを含み、前記複数のビットは、前記複数のダウンリンクサブフレームまたは前記複数のプロセスに対応する、
を備える、アクセス端末。
[Ｃ４０]  ワイヤレス通信媒体において確認応答を送信するためのコンピュータ実行可能コードを記憶する、非一時的コンピュータ可読媒体であって、前記コンピュータ実行可能コードは、
前記ワイヤレス通信媒体のダウンリンクチャネルにおける複数のダウンリンクサブフレームを、アクセスポイントから、受信することを、アクセス端末に行わせるための少なくとも１つの命令と、前記複数のダウンリンクサブフレームは、複数のプロセスに関わるデータを搬送する、
１つまたは複数の場合において前記ワイヤレス通信媒体のアップリンクチャネルのアップリンクサブフレームにおいて前記複数のダウンリンクサブフレームに関わる確認応答を、前記アクセスポイントに、送信することを、前記アクセス端末に行わせるための少なくとも１つの命令と、前記アップリンクサブフレームは、複数のビットを含み、前記複数のビットは、前記複数のダウンリンクサブフレームまたは前記複数のプロセスに対応する、を備える、非一時的コンピュータ可読媒体。